(57)【要約】【課題】センサー開口が外観部へ露出することなく、検知部から室内の状態を検知をすることができることで、デザイン性を向上することができる扇風機を提供することを目的とする。【解決手段】台座部１と、台座部１から延びた支柱部２と、支柱部２に設けた送風部３と、台座部１内に設けた検知部４と、検知部４の検知値によって送風部３を制御する制御部５とを備えている。台座部１は、底面に開口１０を有し、側面に切り欠き１１を有し、開口１０と切り欠き１１とは連通し、開口１０から台座部１内へ延びた空間部１２を備え、空間部１２の側壁面１３にセンサー開口９を有している。検知部４はセンサー開口９と開口１０と切り欠き１１とを介して検知することを特徴とする。【選択図】図３
2018053763.tif 000002
【特許請求の範囲】
【請求項１】
台座部と、
前記台座部から延びた支柱部と、
前記支柱部に設けた送風部と、
前記台座部内に設けた検知部と、
前記検知部の検知値によって送風部を制御する制御部とを備え、
前記台座部は、
底面に開口を有し、
側面に切り欠きを有し、
前記開口と前記切り欠きとは連通し、
前記開口から前記台座部内へ延びた空間部を備え、
前記空間部の側壁面にセンサー開口を有し、
前記検知部は前記センサー開口と前記開口と前記切り欠きとを介して検知することを特徴とする扇風機。
【請求項２】
前記空間部は前記開口から前記台座部の中央へ延び、
前記センサー開口は前記空間部における奥側に配置したことを特徴とする請求項１に記載の扇風機。
【請求項３】
前記開口の周縁部から前記空間部の前記側壁面までは所定の距離を有することを特徴とする請求項１または２に記載の扇風機。
【請求項４】
前記空間部の前記側壁面から電源コードが延びることを特徴とする請求項３に記載の扇風機。
【発明の詳細な説明】
【技術分野】
【０００１】
本発明は、一般的な家庭において、室内の状態をセンサーで検知し、その値によって風量を変化させながら、室内の空気を攪拌して温度ムラをなくしたりするのに使用される扇風機に関するものである。
【背景技術】
【０００２】
従来、この種の扇風機は、室温によって風量を変化させるものが知られている（例えば、特許文献１参照）。
【０００３】
以下、その扇風機について図７を参照しながら説明する。
【０００４】
扇風機は、基台部１０１と、基台部１０１から上方に延びた支柱部１０２と、支柱部１０２の上部に設けた送風部１０３とを備えている。基台部１０１には、制御部１０４とセンサー開口部１０５とを備え、センサー部の検知温度によって制御部が送風部の風量を制御することができる。
【先行技術文献】
【特許文献】
【０００５】
【特許文献１】特開２０１５−８６８６５号公報
【発明の概要】
【発明が解決しようとする課題】
【０００６】
このような従来の扇風機においては、基台部の外面には、センサー開口を設け、センサー部を基台部内に配置している。センサー開口は、基台部内と基台部外とを連通し、センサー部は、センサー開口を介して室内の温度を検知する。基台部の外面にセンサー開口が見えるので、デザイン性が低下するという課題を有していた。
【０００７】
そこで本発明は、上記従来の課題を解決するものであり、基台部の外面にセンサー開口が見えないようにすることで、デザイン性を向上することができる扇風機を提供することを目的とする。
【課題を解決するための手段】
【０００８】
そして、この目的を達成するために、本発明は、台座部と、前記台座部から延びた支柱部と、前記支柱部に設けた送風部と、前記台座部内に設けた検知部と、前記検知部の検知値によって送風部を制御する制御部とを備え、前記台座部は、底面に開口を有し、側面に切り欠きを有し、前記開口と前記切り欠きとは連通し、前記開口から前記台座部内へ延びた空間部を備え、前記空間部の側壁面にセンサー開口を有し、前記検知部は前記センサー開口と前記開口と前記切り欠きとを介して検知するものであり、これにより所期の目的を達成するものである。
【発明の効果】
【０００９】
本発明によれば、台座部と、前記台座部から延びた支柱部と、前記支柱部に設けた送風部と、前記台座部内に設けた検知部と、前記検知部の検知値によって送風部を制御する制御部とを備え、前記台座部は、底面に開口を有し、側面に切り欠きを有し、前記開口と前記切り欠きとは連通し、前記開口から前記台座部内へ延びた空間部を備え、前記空間部の側壁面にセンサー開口を有し、前記検知部は前記センサー開口と前記開口と前記切り欠きとを介して検知する。検知部を台座部内部へ延びた空間部の側壁面にセンサー開口を設けることで、センサー開口が外観部へ露出することなく、検知部から室内の状態を検知することができるという効果を得る。
【図面の簡単な説明】
【００１０】
【図１】本発明の実施の形態１の扇風機の側面図
【図２】同扇風機の台座部の断面図
【図３】同扇風機の台座部の斜視図
【図４】同扇風機の台座部の断面図
【図５】同扇風機の台座部の空間部の断面斜視図
【図６】同扇風機の台座部の斜視図
【図７】従来の扇風機の概要を示す斜視図
【発明を実施するための形態】
【００１１】
以下、本発明の実施の形態について図面を参照しながら説明する。
【００１２】
（実施の形態１）
図１は、本発明の実施の形態１の扇風機の側面図であり、扇風機を右側から見た図である。図２は、本発明の実施の形態１の扇風機の台座部の断面図であり、台座部を上方から見た図である。図２における左側が、扇風機における前側である。
【００１３】
図１および図２に示すように、扇風機は、台座部１と、支柱部２と、送風部３と、検知部４と、制御部５を備えている。
【００１４】
台座部１は、床等の上に置かれ、中空の略円盤形状であり、上面の中央部から上方へ支柱部２が延びている。支柱部２は、略円筒形状であり、支柱部２の上端部には、送風部３が固定されている。送風部３は、支柱部２の上端部に固定されたファン用モータ部分６と、ファン用モータ部分６の回転軸（図示せず）に固定された羽根部分７と、羽根部分７を覆うガード部分８とを備えている。ファン用モータ部分６が駆動すると、ファン用モータ部分６の回転軸に固定された羽根部分７が回転し、空気が送出される。
【００１５】
台座部１内には、検知部４と、制御部５とを備えている。検知部４の一例は、温度センサーである。検知部４は、後述するセンサー開口９を介して室内の温度を検知する。
【００１６】
制御部５は、検知部４の検知値によって送風部３の風量を制御する。具体的には、検知値が高い場合には、風量が大きくなるよう制御し、検知値が小さい場合には、風量が小さくなるよう制御する。
【００１７】
図３は、本発明の実施の形態１の扇風機の台座部の斜視図であり、台座部を下側から見た図である。図４は、本発明の実施の形態１の扇風機の台座部の断面図であり、台座部を右側から見た図である。図４における左側が、扇風機における前側である。図５は、本発明の実施の形態１の扇風機の台座部の空間部の断面斜視図であり、台座部を右側から見た図である。図５における右側が、扇風機における後側である。
【００１８】
図３、４、５に示すように、台座部１は、台座部１における後側の底面に略四角形状の開口１０を有し、台座部１における後側の側面に下方が開口した切り欠きである切り欠き１１を有し、開口１０と切り欠き１１とは連通している。台座部１は、開口１０から台座部１内、支柱部２方向へ延びた空間部１２を備えている。
【００１９】
本実施形態における特徴は、センサー開口９が設けられた位置である。センサー開口９は、空間部１２の側壁面１３に設けられ、空間部１２と台座部１内とを連通している。
検知部４は、センサー開口９と、空間部１２と、開口１０と切り欠き１１とを介して、室内の状態を検知する。空間部１２が、開口１０とセンサー開口９とを連通する通路である。なお、矢印は、空気の流れを示している。
【００２０】
検知部４を台座部１内へ配置し、空間部１２の側壁面１３にセンサー開口９を設けることで、センサー開口９が外観部へ露出することなく、検知部４から台座部１外の温度を検知することができる。
【００２１】
また、空間部１２は、開口１０から台座部１の中央へ延び、センサー開口９は、開口１０より台座部１の中心側、つまり、センサー開口９は空間部１２における奥側に配置されている。センサー開口９が、奥側に配置されたことで、台座部１外からの埃等の進入を抑制することができる。
【００２２】
また、開口１０の周縁部１４から空間部１２の側壁面１３までは所定の距離を有し、空間部１２の水平面積は、開口１０の開口面積よりも広い。空間部１２の側壁面１３は、開口１０の周縁部１４より外方に配置されている。空間部１２の側壁面１３の下部から開口１０の周縁部１４まで台座部１の底面が延びている。
【００２３】
これにより、開口１０の周縁部１４から空間部１２の側壁面１３までは所定の距離を有することで、運転時は検知部４の外気を取り込むための空間として用いることができ、台座部１外からの埃等の進入を抑制することができる。
【００２４】
図６は、本発明の実施の形態１の扇風機の台座部の斜視図であり、台座部を下側から見た図である。
【００２５】
図５、６に示すように、空間部１２の側壁面１３から電源コード１５が延びる。これにより、空間部１２は、空間部１２の側壁面１３の下部から開口１０の周縁部１４まで台座部１の底面が延びているので、扇風機を不使用時には、電源コード１５の収納空間として用いることができる。なお、切り欠き１１における上下方向の寸法は、電源コード１５が通る高さである。
【産業上の利用可能性】
【００２６】
本発明にかかる扇風機は、一般家庭などにおいて、送出される風を浴びて涼感を得たり、室内の空気を攪拌して温度ムラをなくしたりするのに使用される扇風機等として有用である。
【符号の説明】
【００２７】
１    台座部
２    支柱部
３    送風部
４    検知部
５    制御部
６    ファン用モータ部分
７    羽根部分
８    ガード部分
９    センサー開口
１０    開口
１１    切り欠き
１２    空間部
１３    側壁面
１４    周縁部
１５    電源コード
【図１】
2018053763.tif 000003
【図２】
2018053763.tif 000004
【図３】
2018053763.tif 000005
【図４】
2018053763.tif 000006
【図５】
2018053763.tif 000007
【図６】
2018053763.tif 000008
【図７】
2018053763.tif 000009